(57)【要約】【課題】遊技機に隣接して設置され、カード回収口から行う使用済みカードの回収作業を容易に行えるように成した遊技媒体貸機を提供するものである。【解決手段】遊技媒体貸機の内部に設けられたカードリーダ・ライタの下方にカード収納部を設ける。カード収納部はカードリーダ・ライタから排出された使用済みカードを順次略起立状態で積層収納するように成し、収納支持部の操作もしくは連動機構の動作によりカード収納口がカード回収口の方向に向くように回動する構成を成している。【選択図】  図５
2004298448.tif 000002
【特許請求の範囲】
【請求項１】
遊技機に隣接して設置され、カードを投入可能なカード投入口と、投入されたカード内のデータを読み書きし、使用済みカードと判断したカードを排出する排出口を設けたカードリーダ・ライタと、遊技媒体の供給を制御する供給制御部とを備えた遊技媒体貸機において、
前記遊技媒体貸機の前面に設けられたカード回収口と、
前記カード回収口を開閉するカード回収扉と、
前記カード回収扉に設けられた開閉錠部と、
前記開閉錠部の少なくとも一部を係止することでカード回収扉をロックする係止受部と、
前記使用済みカードを受け入れるカード収納口と底面に対して斜めに配置された傾斜部材とが設けられ前記排出口から排出された使用済みカードを傾斜部材により使用済みカードの長辺側を下方にして斜めに略起立積層状態で収納するように成した使用済みカードを収納するカード収納部と、を有し、
前記カード収納部は、前記カード収納口が前記カード回収口の方向へ向くように回動する構成としたことを特徴とする遊技媒体貸機。
【請求項２】
前記係止受部は、遊技媒体貸機の外部からの開錠信号により前記カード回収扉との係止を解除するように係止受部を動作させることでカード回収扉を開かせると同時に、前記カード収納口が前記カード回収口の方向へ向くように前記カード収納部を回動させる連動機構を構成したことを特徴とする請求項１記載の遊技媒体貸機。
【発明の詳細な説明】
【０００１】
【発明が属する技術分野】
本発明は、遊技機に隣接して設置され、使用済みになったカードを収納するカード収納部を備えた遊技媒体貸機に関する。
【０００２】
【従来の技術】
従来、パチンコホール等の遊技店では、前払いでプリペイドカード（磁気記憶媒体やＩＣカードなど）を購入し、そのカードを遊技媒体貸機に投入して、遊技に必要な分だけの遊技媒体（パチンコ玉やメダル）を購入する。この時に、プリペイドカードに記録されていた金額から購入した遊技媒体の金額分が遊技媒体貸機に設置されたカードリーダ・ライタにより減算され、減算された残りの分が残高としてカードに記録されるようになっている。そして、残高が『０』になると、その残高『０』カードは、使用済みカードとして、遊技者へ返却されていた。
（以下残高『０』カードを使用済みカード、プリペイドカードをカードと記す。
）
【０００３】
しかし、上記のように使用済みカードを遊技者に返却を行っても、使用済みカードはゴミとして捨てられ、最終的には破棄されることとなり、遊技店の運営上でのライニングコストの負荷になったり、資源の有効活用ができないという観点から遊技店にとって望ましいものではなかった。また、この使用済みカードが不正カードに利用されてしまう恐れもあるので、使用済みカードを効率良く回収できる遊技媒体貸機が要望されていた。
【０００４】
【特許文献１】
特開平０７−３１３７２２号公報
【０００５】
【特許文献２】
特開２０００−１３５３７１号公報
【０００６】
【特許文献３】
特開２００１−０７０６０６号公報
【０００７】
【発明が解決しようとする課題】
近年、遊技店のパチンコ遊技機が設置された遊技島においては、特徴である直線的な遊技島の構成を活かし、特開平０７−３１３７２２号に提案されたプリペイドカード回収装置にあっては、遊技媒体貸機の背面側に相当する遊技島内部にプリペイドカードを回収するための直線状に形成された搬送路が設置され、使用済みのプリペイドカードを島端で回収できるカード回収装置が提案されている。
しかし、遊技店のデザイン上で、遊技機（特にスロットマシン）の配置を直線的に設けていない変形配置の遊技島（例えば、遊技機を湾曲曲線上に配置した場合、遊技機を屈曲曲線上に配置した場合）も増えてきているので、このような場合には遊技島内に直線的に搬送路を設置することが困難であり、設置できない場合があった。
【０００８】
また、特開２０００−１３５２７１号に提案された台間玉貸機にあっては、パチンコ遊技島に設置された台間玉貸機の背面に使用済みカードを収容する外部スタッカが設けられた台間玉貸機が提案されている。この台間玉貸機のスタッカは前記のような変形配置の遊技島における使用済みカードの回収には有効である。
しかし、台間玉貸機の背面に設けられ、遊技島内部にあるために、使用済みカードの回収を行う場合には、予め遊技機の扉を開け遊技島内に手を挿入して使用済みのカードの回収を行ったり、台間玉貸機を引き出してから台間玉貸機の背面にあるスタッカ内から使用済みカードの回収を行ったりしなければならず、使用済みカードの回収時における煩わしさ感を感じたり、作業者の負荷になったりしていた。
【０００９】
また、特開２００１−０７０６０６号に提案された使用済みカード回収装置にあっては、パチンコ遊技島に設置された台間玉貸機の内部に設けられた使用済みカードを収容する収納部が信号により前方に突出する台間玉貸機が提案され、前記収納部はロック手段によって作動を制限されている。しかし、この場合は台間玉貸機に対して収納部が突出するように成すには、収納部を突出させる機構が必要になるのでコスト高であった。また、前記収納部から使用済みカードを回収する際には収納部を十分に前方（遊技者方向）へ突出させてからでないと、使用済みカードの回収作業が行えないといった煩わしさを伴っていた。
【００１０】
本発明の目的は、以上の点を鑑み、遊技機が変形配置された様々な遊技島においても設置可能であり、カード回収口からの使用済みカード回収作業を容易に行えるように成した遊技媒体貸機を提供するものである。
【００１１】
【課題を解決するための手段】
本発明の請求項１によれば、遊技機に隣接して設置され、カードを投入可能なカード投入口と、投入されたカード内のデータを読み書きし、使用済みカードと判断したカードを排出する排出口を設けたカードリーダ・ライタと、遊技媒体の供給を制御する供給制御部とを備えた遊技媒体貸機において、前記遊技媒体貸機の前面に設けられたカード回収口と、前記カード回収口を開閉するカード回収扉と、前記カード回収扉に設けられた開閉錠部と、前記開閉錠部の少なくとも一部を係止することでカード回収扉をロックする係止受部と、前記使用済みカードを受け入れるカード収納口と底面に対して斜めに配置された傾斜部材とが設けられ前記排出口から排出された使用済みカードを傾斜部材により使用済みカードの長辺側を下方にして斜めに略起立積層状態で収納するように成した使用済みカードを収納するカード収納部と、を有し、前記カード収納部は、前記カード収納口が前記カード回収口の方向へ向くように回動する構成としたことを特徴とする遊技媒体貸機の構成によって目的が達成される。
【００１２】
本発明の請求項２によれば、前記係止受部は、遊技媒体貸機の外部からの開錠信号により前記カード回収扉との係止を解除するように係止受部を動作させることでカード回収扉を開かせると同時に、前記カード収納口が前記カード回収口の方向へ向くように前記カード収納部を回動させる連動機構を構成したことを特徴とする遊技媒体貸機の構成によって目的が達成される。
【００１３】
【発明の実施の形態】
以下、各図面に基づいて本発明の遊技媒体貸機について詳細に説明する。
図１は、本発明の遊技媒体貸機１０（以下、台間メダル貸機１０と記す）が設置された遊技機島１を示し、遊技機島１は、遊技機３（以下、スロットマシン３と記す）および遊技媒体貸機１０（以下、台間メダル貸機１０と記す）とから構成される。台間メダル貸機１０は、スロッマシン３と１対１で隣接して配置されている。尚、遊技機とは例えば、パチンコ遊技台やスロットマシンであり、遊技媒体とは例えば、パチンコ玉やメダルであり、カードとはプリペイドカードやＩＣカードなどの記憶媒体である。ここでの実施例の説明においては、遊技機としてはスロットマシン、遊技媒体としてはメダル、遊技媒体貸機としては台間メダル貸機を使用する実施例で説明するが、この限りではない。
【００１４】
先ず、本発明の実施例である台間メダル貸機１０の構成について説明する。
図２は、台間メダル貸機１０の正面外観図である。
台間メダル貸機１０は略矩形状の本体部１１から成り、本体部１１の前面の上部右側に設けられた長方形状の開口部から成るカード投入口１２と、本体部１１の前面の上部左側に設けられた貸し出し金額の選択や投入したカード返却の要求等の操作を行うためテンキー等により形成された操作部１３と、前記カード投入口１２及び操作部１３の下部に位置し本体部１１とほぼ同じ幅で開口したカード回収口２３と、カード回収口２３をしっかりと覆うように本体部１１前面に取り付けられその一辺に設けられた扉回転軸２２と扉回転軸２２に設けられた付勢部材より回動自在と成し使用済みカードＰの回収作業時に開閉を行うカード回収扉２０と、カード回収扉２０をロックする開閉錠部２１とで外観上を構成されている。
【００１５】
図３は、台間メダル貸機１０の左側面内部構成の概略図である。
前記本体部１１内部には、カードリーダ・ライタ１４と、供給制御部１５と、係止受部３０と、回収支持部３１と、係止受部３０を含んだ連動機構４０と、カード収納部５０とが設けられている。
前記カード投入口１２から投入されたカード内のデータ（金額データ）を読み取り、前記操作部１３により遊技者が選択した貸し出し度数（金額）分を減算したデータを再び、カードに書き込む等のデータ処理を行うカードリーダ・ライタ１４がカード投入口１２の背面側に連設されている。更に、カードリーダ・ライタ１４において、残高データが『０』と判断されたカードを使用済みカードＰとして排出する排出口がカードリーダ・ライタの下面に設けられている。また、前記本体部１１内部には、遊技者が選択した度数（金額）に相当する所定数のメダルを供給するためのメダル供給を制御する供給制御部１５が設けられている。カードリーダ・ライタ１４は供給制御部１５と電気的に接続され、遊技者が選択した貸し出し度数を供給信号として供給制御部１５へ送信するように成していて、その供給信号を受信した供給制御部１５はメダルもしくはメダルデータ（クレジットデータ）をスロットマシン３へ供給するようになっている。ここで、供給制御部１５にメダル払出機（図示せず）が接続されている場合には、供給制御部１５はカードリーダ・ライタ１４からの供給信号を受信すると、メダル払出機を動作させてメダルを遊技者もしくはスロットマシン３へ供給するように成している。
【００１６】
そして、前記カードリーダ・ライタ１４の下部には、カードリーダ・ライタ１４の排出口１４ａより排出された使用済みカードＰを受け入れるカード収納口５１が上面側に形成され、２枚の側面板５１ａと前面板５１ｂと背面板５１ｃと底板５１ｄで一体成型の略矩形状を成し、その内部には傾斜部材５５が取り付けられたカード収納部５０が設けられている。カード収納部５０及びカード収納口５１は、カードリーダ・ライタ１４の排出口１４ａから排出され、その長辺側を下方にして垂直に落下してくる使用済みカードＰを受け入れるだけの十分な大きさを成し、側面板５１ａ、前面板５１ｂ及び背面板５１ｃも落下してきた使用済みカードＰが飛び出してしまうことがないような十分な高さを成している。カード収納部５０は、後述する係止受部３０側の側板５１ａの一部に設けられた姿勢保持部５２が、係止受部３０に設けられた回収支持部３１の一部を成す係止片３２と当接することで、カード収納口５１を上向水平に支持されるように成している。また、カード収納部５０の側板５１ａの一部には、カード収納部５０がカード回収口２３の方向に回動可能なように支持する回動支持部５３が設けられ、カード収納部５０の背面板５１ｃの一部に接続された付勢部材５４ａから成る回動緩和部５４がその付勢力によりカード回収部５０の回動速度を緩和するように設けられている。更に、カード収納部５０は、収納支持部３１に設けられた係止片３２の動作により、姿勢保持部５２との当接状態が解除されることで、本体部１１前面に設けられたカード回収口２３の方向にカード収納口５１が向くように、回動支持部５３を支点として、本体部１１内を下方へ回動するように成している。
【００１７】
尚、前記の説明では前記カード収納部５０の回動動作において、回動動作部を設けていないが、回動動作部としてギヤードモータなどの動力を設けて、カード収納部５０を回動自在に成しても良く、カード収納部５０の回動動作を始動させるための操作を台間メダル貸機１０の前面に設けられた操作部１３で行えるように成したり、カード回収口２３内にスイッチ等の操作手段を設けても良い。また、傾斜部材５５を着脱可能に設け、台間メダル貸機１０で使用される記憶媒体がＩＣコイン等の小型記憶媒体の場合には、傾斜部材５５を取り外して、小型記憶媒体を収納できるように設けたり、カード収納部５０内に収納された媒体を回収時には、カード収納部５０を台間メダル貸出機１０の本体部１１から取り外すことが可能に構成しても良い。
【００１８】
前記カードリーダ・ライタ１４の排出口１４ａから排出された使用済みカードＰは、カード収納部５０の底板５１ｄに対して傾斜して設けられ、傾斜部材に当接することで落下の衝撃を吸収され、更に、傾斜部材５５に当接した使用済みカードＰの下端は傾斜部材５５により形成された斜辺５５ａ上を下方（カード収納部５０の底板５１ｄ）へ向かって滑り落ちるように成している。また、傾斜部材５５の斜辺５５ａをカード収納部５０の底板５１ｄまで滑り落ちた使用済みカードＰの側面上端近傍が、カード収納部５０の側面板５１ａ上の上端近傍の一部に設けられた突出部５６と当接することにより、使用済みカードＰの上端は傾斜部材５５方向に押し戻され、傾斜部材５５上の一部もしくは底板５１ｄと側面板５１ａに当接し、斜めに起立したままの状態で収納される。そして、カードリーダ・ライタ１４の排出口１４ａから排出されてくる後続の使用済みカードＰは、先に収納された使用済みカードＰの上を滑り落ち、先に収納されている使用済みカードＰの上に後続の使用済みカードＰは順次積層されるように成している。カード収納部５０をカードリーダ・ライタ１４の排出口１４ａに対してカード収納口５１を垂直に配したので、排出口１４ａから排出され落下してくる使用済みカードＰを確実に収納することが可能であり、傾斜部材５５が使用済みカードＰの落下の勢いを吸収するように成したので、カード収納部５０内に落下した使用済みカードＰがカード収納部５０の側面板５１ａ等から飛び出してしまう不具合もない。
【００１９】
また、前記カード収納部５０には、カード収納部５０内に収納された使用済みカードＰの有無を検知するためのカード検出センサー５７と、カード収納部５０内の使用済みカードＰの収納状態（特に満杯）を検知する満杯センサー５８とが設けられ、前記供給制御部１５と電気的に接続され制御されている。満杯センサー５８はカード収納部５０内に収納された使用済みカードＰの収納枚数が上限に達すると、満杯信号を受信した供給制御部１４は表示部１８や外部管理装置６０（ホールコンピュータや島管理装置）等に満杯信号を送信するように成し、使用済みカードＰの回収作業を促すように成している。
【００２０】
次に、本発明の実施例の係止受部３０の連動機構４０について説明する。
図６は、連動機構４０の上面図である。図７は、連動機構４０の部分断面斜視図である。図８は、カード回収扉２０が閉じられた状態の左側面概略拡大図である。図９は、連動機構４０の動作後、カード回収扉２０が開かれた状態の左側面概略拡大図である。
前記カード連動機構４０は、上方に立設した後端部３０ｂとカード回収扉２０に設けられた開閉錠部２１の扉ガイド部材２４と係合することでカード回収扉２０をロックする前端部３０ｃとを有する係止受部３０としての係止レバー３０ａと、係止受部３０の回動動作の支点となる係止受部３０の側面の後方を挿通した係止軸３３と、係止軸３３に設けられた付勢部材３３ａと、ソレノイド３４と、垂直方向に延設された突起部３６を有するソレノイド３４のアクチュエータ３５と、使用済みカードＰの回収時に操作する回収支持部３１と、回収支持部３１に設けられカード収納部５０の姿勢保持部５２を係止することでカード収納部５０を水平に保持し一端に設けられた支点軸３２ａを支点として水平方向に回動する係止片３２とで構成されている。
【００２１】
次に、各図を参照して、本発明の実施例における使用済みカードＰの回収作業の流れに沿って、本発明の要旨について説明する。
図１０は、カード収納部５０の回動状況を表す左側面概要図である。
先ず、前記カード収納部５０に設けられた満杯センサー５８により、カード収納部５０内の使用済みカードＰが満杯であると表示部１８等により報知された店員等の作業者が台間メダル貸機１０の前面に設けられた開閉錠部２１に開閉専用の鍵を使用して開錠し、使用済みカードＰを回収する場合について説明する。
前記カード収納部５０が満杯であることを、報知された作業者は、前記台間メダル貸機１０の前面に設けられた開閉錠部２１に開閉専用の鍵を挿入し、旋錠すると、開閉錠部２１に設けられた開錠板２５が旋回して係止受部３０を押し上げることで扉ガイド部材２４と前記係止受部３０との係合を解き、開閉錠部２１のロックが解除される。ロックが解除されたカード回収扉２０は、扉回転軸２２を支点に付勢部材の付勢力により、手前方向（前方）に回動し、カード回収扉２０の開放状態を維持するように成している（図４参照）。
【００２２】
そして、前記カード回収扉２０の開錠により開放された前記カード回収口２３の内部に設けられた係止受部３０の係止レバー３０ａの近傍に設けられた回収支持部３１を台間メダル貸機１０の本体部１１奥行き方向（後方）に向かって押すと、係止片３２の一部に設けられた支点軸３２ａを支点に係止片３２が台間メダル貸機１０の本体部１１奥行き方向（後方）に向かって回動していき、カード収納部５０に設けられた姿勢保持部５２との係止が解除される。また、回収支持部３１と係止片３２は係止受部３０に設けられたソレノイド３４のアクチュエータ３５の突起部３６とも接続されているので、ソレノイド３４が動作していなくても回収支持部３１を押し込むことでアクチュエータ３５が動作し、ソレノイド３４が動作した状態と同じになり、アクチュエータ３５がソレノイド３４内部に押し込まれ、同時にアクチュエータ３５の突起部３６が係止レバー３０ａの後端部３０ｂの一部に当接し押すことになり、その動作により係止レバー３０ａの前端部３０ｃは係止軸３３を支点として上方へ回動するようになっている。作業者により押された回収支持部３１と係止片３２は、作業者が回収支持部３１から手を離すと、係止受部３０の係止軸３３に設けられた付勢部材３３ａの付勢力により元の位置へ押し戻される。この時、同時にアクチュエータ３５と係止レバー３０ａも元の位置に押し戻される（図７参照）。
【００２３】
そして、前記係止片３２と前記姿勢保持部５２との係止が解除されると、前記カード収納部５０はカード収納部５０の側面板５１ａに設けられた回動支持部５３を支点にカード収納口５１が台間メダル貸機１０の本体部１１のカード回収口２３の方向に向くように、下方へ向かって回動する（図５、図１０参照）。カード収納部５０の背面板５１ｃに接続された付勢部材５４ａによりその回動動作の勢いがゆっくりと緩和されるようになっている。カード収納部５０のカード収納口５１が台間メダル貸機１０の本体部１１のカード回収口５１の方向に向くので作業者は容易にカード収納部５０内の使用済みカードＰを回収することが可能になっている。カード収納部５０内にある使用済みカードＰの回収作業を終えると、作業者はカード収納部５０の前面板５１ｂの上部に設けられた取手部５９を支持しながら、カード収納部５０が水平になる位置までカード収納部５０を回動していくと、カード収納部５０の姿勢保持部５２が係止受部３０の係止片３２を乗り越える。姿勢保持部５２が係止片３２を乗り越えた時点で作業者が取手部５９から手を離すと、カード収納部５０の姿勢保持部５２の下面が係止片３２の上面と当接することでカード収納部５０は、再び、係止受部３０の係止片３２により係止されるので水平位置を保持することになる。そして、作業者はカード回収扉２０を閉め、開閉錠部２１を開閉専用の鍵で旋錠することで使用済みカードＰの回収作業を終了することになる。
【００２４】
ここで、前記カード収納部５０の満杯センサー５８は、カード収納部５０内の使用済みカードＰが作業者によって回収され、カード収納部５０内の満杯位置に使用済みカードＰがないと判断すると満杯信号を解除し自動復帰する。また、カード検出センサー５７は、カード収納部５０の側面に設けられた検出口５７ａからカード収納部５０の内部の使用済みカードＰの有無を検知するように設けられているので、カード収納部５０が正規位置（カード検出センサー５７前に検出口５７ａが位置する。図１０参照）にある場合にはカード収納部５０の内部の使用済みカードＰの有無を検出し、カード収納部５０を元の水平位置に戻さなかった場合やカード収納部５０が元の位置にない場合には、カード検出センサー５７はカード収納部５０内の使用済みカードＰの有無を検出する正規の位置にないことになり、カード収納部５０の内部の使用済みカードＰを検出することが不可能な状態にあることになるので、カード収納部５０が元の位置ないという判断ができる。よって、カード検出センサー５７により、カード収納部５０の位置も検出できるようになっているので、カード収納部５０を正規に位置に戻すことを忘れたまま、営業することもなく、確実に使用済みカードＰを回収することが可能になる。
【００２５】
続いて、前記カード収納部５０に設けられた満杯センサー５８により、カード収納部５０内の使用済みカードＰが満杯であると判断され、満杯信号が供給制御部１４から外部管理装置６０に送信され、外部管理装置６０から店員等の作業者が開錠信号を該当する台間メダル貸機１０へ送信し、連動機構４０を動作させることで開閉専用の鍵を使用することなく開閉錠部２１を開錠し、同時にカード回収部５０も回動させて、使用済みカードＰを回収する場合について説明する。
前記カード収納部５０の満杯センサー５８により、カード収納部５０内の使用済みカードＰが満杯である旨を検知すると満杯信号が台間メダル貸機１０内に設けられた供給制御部１４から外部管理装置６０に送信される。満杯信号を受信した外部管理装置６０の表示部には、その旨が報知されるようになっている。そして、店員等の作業者は、外部管理装置６０から開錠信号を台間メダル貸機１０に送信する。外部管理装置６０から開錠信号を受信した台間メダル貸機１０の供給制御部１４は係止受部３０に設けられたソレノイド３４のアクチュエータ３５を引き込むように動作させることで、アクチュエータ３５の突起部３６は係止レバー３０ａの後端部３０ｂの一部と当接し、係止受部３０に設けられた係止軸３３を支点に係止レバー３０ａの前端部３０ｃを上方へ回動させる（図８、図９参照）。係止レバー３０ａの前端部３０ｃが上方に回動することで、係止受部３０の係止レバー３０ａと開閉錠部２１の扉ガイド部材２４との係合状態が解除され、カード回収扉２０の扉回転軸２２に設けられた付勢部材の付勢力によりカード回収扉２０は前方に回動し、カード回収口２３が開放される。
【００２６】
また、同時に前記アクチュエータ３５は、前記係止レバー３０ａの下方に設けられた係止片３２を台間メダル貸機１０の本体部１１の奥行き方向に回動させ、カード収納部５０の姿勢保持部５２との係止を解除する（図７参照）。係止片３２と前記姿勢保持部５２との係止が解除されると、前記カード収納部５０はカード収納部５０の側面板５１ａに設けられた回動支持部５３を支点にカード収納口５１がメダル貸機１０の本体部１１のカード回収口２３の方向に向くように、下方へ向かって回動する。カード収納部５０の背面板５１ｃに接続された回動緩和部５４としての付勢部材５４ａによりその回動動作の勢いがゆっくりと緩和されるようになっている。カード収納部５０を台間メダル貸機１０の本体部１１から突出させることなく限られたスペースの中で、カード収納部５０のカード収納口５１が本体部１１のカード回収口２３の方向に向くことで、作業者は容易にカード収納部５０内の使用済みカードＰを回収することが可能になっている。
ここでは、カード収納部５０に設けられた満杯センサー５８の判断により、満杯信号が供給制御部１４から外管理装置部に送信された場合について説明を行ったが、外部管理装置６０からの操作においては、台間メダル貸機１０から満杯信号を受信しなくても、開錠信号を送信できるように成している。また、カード回収扉２０を回動式の構成で説明したが、カード回収扉２０を上下もしくは左右にスライドさせて開閉させるように設けても良く、この限りではない。
【００２７】
このように、前記係止受部３０のソレノイド３４を外部管理装置６０からの開錠信号により遠隔から動作させることが可能に設けたことで、カード回収扉２０とカード収納部５０とを連動して動作させることが可能になるので、使用済みカードＰの回収作業が容易になる。また、使用済みカードＰの満杯時だけでなくとも、カード回収口２３を開放することが可能であり、開錠信号は店員等の作業者が携帯可能な専用リモコン等の遠隔操作装置からも送信できるように成しても良い。
【００２８】
【発明の効果】
以上の説明で明らかなように本発明の請求項１によれば、カードリーダ・ライタから排出される使用済みカードを収納するカード収納部は、通常時、カード収納部のカード収納口をカードリーダ・ライタの排出口に対して垂直に位置させることができるので、カードリーダ・ライタから排出されたカードを確実に収納することができ、使用済みカード回収作業を行う時には、回収支持部を操作するだけで、カード収納部のカード収納口をカード回収口方向に回動することができるので、カード収納部を台間メダル貸機の本体部から突出させることなく限られたスペースの中で、作業者は容易にカード収納部内に収納された使用済みカードを回収することが可能になり、複雑な機構を必要とせずに使用済みカードの回収作業を容易に行うことができるといった効果がある。
【００２９】
加えて、本発明の請求項２によれば、外部管理装置等の遊技媒体貸出機外部からの操作により開錠信号を台間メダル貸機に送信することで、係止受部に設けられたソレノイドを遠隔から動作させることでき、カード回収扉とカード収納部を同時に動作させ、カード回収作業を行える状態に移行することになり、使用済みカードの回収作業を容易に行うことが可能になる。また、開錠信号により係止受部が動作するだけでカード回収扉を開けることができるので、カード回収扉を開閉専用の鍵を使用しなくてもカード回収扉を開放できるといった効果がある。
【００３０】
【図面の簡単な説明】
【図１】本発明に係る台間メダル貸機が設置された遊技機島を示す正面図である。
【図２】本発明に係る台間メダル貸機の正面図である。
【図３】本発明に係る台間メダル貸機の左側面内部概略図である。
【図４】本発明に係る台間メダル貸機の斜視拡大図（カード収納部回動前）である。
【図５】本発明に係る台間メダル貸機の斜視拡大図（カード収納部回動後）である。
【図６】本発明に係る連動機構の上面図である。
【図７】本発明に係る連動機構の部分斜視図である。
【図８】本発明に係る連動機構の動作前の左側面概略図である。
【図９】本発明に係る連動機構の動作後の左側面概略図である。
【図１０】本発明に係るカード収納部の回動後の左側面概略図である。
【符号の説明】
１    遊技島
３    遊技機（スロットマシン）
１０  台間メダル貸機
１２  カード投入口
１４  カードリーダ・ライタ
１５  供給制御部
２０  カード回収扉
２１  開閉錠部
２３  カード回収口
３０  係止受部
３１  回収支持部
４０  連動機構
５０  カード収納部
５１  カード収納口
５５  傾斜部材
【図１】
2004298448.tif 000003
【図２】
2004298448.tif 000004
【図３】
2004298448.tif 000005
【図４】
2004298448.tif 000006
【図５】
2004298448.tif 000007
【図６】
2004298448.tif 000008
【図７】
2004298448.tif 000009
【図８】
2004298448.tif 000010
【図９】
2004298448.tif 000011
【図１０】
2004298448.tif 000012